(57)【要約】【課題】審美性をさらに向上させた天板、及びこれを備えるキッチン用キャビネットを提供する。【解決手段】天板本体１１の上面１０を形成する辺部のうち、少なくとも壁に突き当たる奥側の辺部である奥側辺部Ｌｂに形成されるとともに、上面１０に交差する方向に沿って上方に突出する突出部１２を有し、奥側辺部Ｌｂの延びる方向における断面視で、上面１０と突出部１２の頂部１２Ａとの間を結ぶ稜線１３は、頂部１２Ａから上面１０に向かうにしたがって下方に傾斜していることを特徴とする。【選択図】図２
2017124049.tif 000002
【特許請求の範囲】
【請求項１】
天板本体と、
前記天板本体の上面を形成する辺部のうち、少なくとも壁に突き当たる奥側の辺部である奥側辺部に形成され、前記上面に交差する方向に沿って上方に突出する突出部を有し、
前記奥側辺部の延びる方向における断面視で、前記上面と前記突出部の頂部との間を結ぶ稜線は、前記頂部から前記上面に向かうにしたがって下方に傾斜していることを特徴とする天板。
【請求項２】
前記頂部は、上方に向かって湾曲するように突出し、
該頂部の曲率は、前記稜線の曲率よりも大きい請求項１に記載の天板。
【請求項３】
前記天板本体と前記突出部とは、互いに異なる別の部材によって構成されている請求項１又は２に記載の天板。
【請求項４】
前記上面から前記頂部までの上下方向における寸法は、１．０ｍｍ以上、２．０ｍｍ以下である請求項１から３のいずれか一項に記載の天板。
【請求項５】
請求項１から４のいずれか一項に記載の天板と、
前記天板を床面上で支持するキャビネット部と、
を備えるキッチン用キャビネット。
【発明の詳細な説明】
【技術分野】
【０００１】
本発明は、天板、及びキッチン用キャビネットに関する。
【背景技術】
【０００２】
システムキッチンの一例として、壁面に接するように設けられる形態のものが従来知られている。具体的には、この種のシステムキッチンは、作業面を有する天板と、この天板を床面上で支持するとともに、各種の収納用スペースとして活用されるキャビネット部と、を有している。このようなシステムキッチンでは、調理作業中に発生する水分等が天板上を伝って壁面側に流下する虞がある。このため、天板と壁面との間の水密性を維持するための措置が必要となる。このような水密性を確保するための技術の一例として、下記特許文献１に記載されたものが知られている。
【先行技術文献】
【特許文献】
【０００３】
【特許文献１】特開２００８−２６０１４０号公報
【発明の概要】
【発明が解決しようとする課題】
【０００４】
上記特許文献１には、キッチン等に用いられるカウンターが記載されている。このカウンターの上面のうち、壁面に対向する部分には、該壁面に沿って設けられた立ち上がり部が形成されている。このような立ち上がり部を設けることによって、カウンター上面からシステムキッチンと壁面との間の隙間への水の浸入を抑制することができる。
【０００５】
ところで、近年では、システムキッチンにおける審美性や美観の向上に対する要請が高まっている。特に、天板上の各部の凸凹が可能な限り排除されたシンプルなデザインによって、商品としての訴求力が高まるとされている。しかしながら、上記特許文献１に記載されたカウンターでは、立ち上がり部が大きく目立つため、上記のような審美性や美観を向上させる上での課題の一つとなっていた。
【０００６】
本発明は上記課題を解決するためになされたものであって、止水性を確保しつつ、審美性をさらに向上させた天板、及びこれを備えるキッチン用キャビネットを提供することを目的とする。
【課題を解決するための手段】
【０００７】
本発明に係る天板は、天板本体と、前記天板本体の上面を形成する辺部のうち、少なくとも壁に突き当たる奥側の辺部である奥側辺部に形成され、前記上面に交差する方向に沿って上方に突出する突出部を有し、前記奥側辺部の延びる方向における断面視で、前記上面と前記突出部の頂部との間を結ぶ稜線は、前記頂部から前記上面に向かうにしたがって下方に傾斜していることを特徴とする。
【０００８】
この構成によれば、天板本体から上方に突出する突出部によって、天板上の水分を受け止めることができる。これにより、水分が天板から外部に散逸してしまう虞を低減することができる。さらに、突出部と天板本体との間の稜線は、頂部から上面に向かうにしたがって下方に傾斜しているため、天板上で突出部が目立ちにくくなる。これにより、天板の美観を向上させることができる。
【０００９】
また、本発明に係る天板では、前記頂部は、上方に向かって湾曲するように突出し、該頂部の曲率は、前記稜線の曲率よりも大きくてもよい。
【００１０】
この構成によれば、頂部が上方に湾曲するように突出していることから、頂部と壁との間に隙間が形成される。さらに、頂部の曲率は稜線の曲率よりも大きい。これにより、突出部と壁との間にコーキング等を施すに当たって、上記の隙間によって十分な量のコーキング材を保持することができる。
【００１１】
また、本発明に係る天板では、前記天板本体と前記突出部とは、互いに異なる別の部材によって構成されてもよい。
【００１２】
この構成によれば、天板を一の部材によって一体に成形する場合に比べて、加工と組立の容易さを確保することができる。
【００１３】
また、本発明に係る天板では、前記上面から前記頂部までの上下方向における寸法は、１．０ｍｍ以上、２．０ｍｍ以下であってもよい。
【００１４】
この構成によれば、天板上で突出部がさらに目立ちにくくなる。これにより、天板の美観をさらに向上させることができる。
【００１５】
また、本発明に係るキッチン用キャビネットは、上記いずれか一の態様に係る天板と、前記天板を床面上で支持するキャビネット部と、を備える。
【００１６】
この構成によれば、高い審美性を有するキッチン用キャビネットを提供することができる。
【発明の効果】
【００１７】
本発明によれば、審美性をさらに向上させた天板、及びこれを備えるキッチン用キャビネットを提供することができる。
【図面の簡単な説明】
【００１８】
【図１】本発明の第一実施形態に係るキッチン用キャビネットの全体図である。
【図２】図１のＡ−Ａ線における断面図である。
【図３】本発明の第一実施形態に係る天板にコーキング材を充填する工程を説明する図である。
【図４】本発明の第二実施形態に係る天板の断面図である。
【図５】本発明の第二実施形態に係る天板の変形例における断面図である。
【図６】本発明の各実施形態に係る天板のさらなる変形例における断面図である。
【発明を実施するための形態】
【００１９】
［第一実施形態］
本発明の第一実施形態に係るキッチン用キャビネット１００、及び天板１について図面を参照して説明する。図１に示すように、本実施形態に係るキッチン用キャビネット１００は、互いにおおむね直交する２つの壁面（側壁Ｗｓ、及び奥壁Ｗｂ）によって形成される隅部に配置される。具体的には、このキッチン用キャビネット１００は、シンク３やグリル４が配置される天板１と、この天板１を床面上で支持するキャビネット部２と、を備えている。
【００２０】
詳しくは後述するが、天板１は、人工大理石によって一体に形成された平板状の部材である。この天板１上には、シンク３やグリル４等が配置されるとともに、調理作業時に使用される作業面５が形成されている。上面視で矩形をなす天板１の４つの辺部のうち、奥側の辺部（奥側辺部Ｌｂ）は、上記の奥壁Ｗｂに突き当たっている。また、奥側辺部Ｌｂと交差する側辺部Ｌｓのうち、少なくとも一方は、上記の側壁Ｗｓに突き当たっている。
【００２１】
キャビネット部２は、おおむね箱状をなしている。キャビネット部２は、キャビネット部本体２１と、戸棚２２と、引き出し２３とを備えている。なお、これら戸棚２２、及び引き出し２３の配置や寸法はあくまで一例であって、設計や仕様に応じて種々の態様を採ることが可能である。上記のようなキッチン用キャビネット１００では、シンク３における水仕事のほか、グリル４上における加熱調理や、作業面５での各種調理作業が行われる。
【００２２】
続いて、図２を参照して、天板１の詳細な構成について説明する。図２は、天板１における奥側辺部Ｌｂ周辺を示す断面図である。同図に示すように、天板１は、板状の天板本体１１と、天板本体１１から上方に向かって突出する突出部１２と、を有している。本実施形態では、天板本体１１と突出部１２とは人工大理石によって一体に形成されている。
【００２３】
より詳細には、突出部１２は、天板本体１１における上記の奥側辺部Ｌｂに設けられている。奥側辺部Ｌｂの延びる方向における断面視で、突出部１２の頂部１２Ａは、上方に向かって湾曲するように形成されている。言い換えれば、突出部１２の頂部１２Ａは、略円弧状の断面形状を有している。
【００２４】
さらに、頂部１２Ａと天板本体１１の上面１０との間を結ぶ稜線１３は、上面１０に対して傾斜している。言い換えると、稜線１３は、頂部１２Ａから上面１０に向かうにしたがって下方に傾斜している。より具体的には、本実施形態では、稜線１３は、下方に向かってわずかに凹む湾曲形状で形成されている。この稜線１３も上記の頂部１２Ａと同様に、略円弧状の断面形状を有している。なお、頂部１２Ａの曲率は、稜線１３の曲率に対して相対的に大きく設定されている。以上のように形成された頂部１２Ａ、稜線１３、及び上面１０は、連続する一つの曲線状をなしている。
なお、詳しくは図示しないが、稜線１３は必ずしも上記のように湾曲している必要はなく、上面１０に対して傾斜している限りにおいては、稜線１３は直線状をなしていてもよい。
【００２５】
なお、天板本体１１の上面１０から頂部１２Ａまでの上下方向における寸法は、１．０ｍｍ以上２．０ｍｍ以下であることが望ましい。より望ましくは、この寸法は１．２ｍｍ以上１．８ｍｍ以下とされ、最も望ましくは１．５ｍｍとされる。
【００２６】
奥側辺部Ｌｂのうち、上記の奥壁Ｗｂと対向する面は、対向面１４とされている。奥壁Ｗｂと対向面１４との間であって、上記の頂部１２Ａよりも下方の位置には、バックアップ材１５が取り付けられている。バックアップ材１５は、例えばスポンジ状の樹脂で形成されている。
【００２７】
さらに、バックアップ材１５よりも上方の空間には、充填部３０が形成されている。この充填部３０は、例えばシリコン等を主剤とするコーキング材を充填・硬化させることで形成される。特に、この充填部３０は、図３に示すように、頂部１２Ａの対向面１４側の部分と、対向面１４との間の間隙に向かってコーキング材Ｃを（上面１０に対して）略４５°の角度から注入することによって形成されることが望ましい。このような注入の態様を、「三角打ち」と呼ぶことがある。この注入方法を採ることにより、充填部３０の上側の面は、奥壁Ｗｂから頂部１２Ａに向かうにしたがって下方に延びるように傾斜した状態で硬化する。さらに、コーキング材Ｃの硬化時に「ヒケ」が生じても、この傾斜はおおむね維持される。
【００２８】
以上のように構成された天板１上（上面１０）では、加熱調理や水仕事等が適宜行われる。この際、調理作業中に発生する水分等が天板１の上面１０を伝って奥壁Ｗｂ側に到達する場合がある。しかしながら、上述した天板１では、天板本体１１から上方に突出する突出部１２によって、天板１上の水分を受け止めることができる。これにより、水分が天板１から外部に散逸してしまう虞を低減することができる。
【００２９】
さらに、突出部１２と天板本体１１との間は湾曲形状で結ばれているため、天板１上で突出部１２が目立ちにくくなる。これにより、天板１全体における凹凸を極力排することができるため、美観をさらに向上させることができる。
【００３０】
加えて、上記の構成によれば、頂部１２Ａが上方に湾曲するように突出していることから、頂部１２Ａと壁との間に隙間が形成される。したがって、突出部１２と壁との間にコーキングを施す（充填部３０を形成する）に当たって、上記の隙間によって十分な量のコーキング材を保持することができる。
【００３１】
さらに加えて、頂部１２Ａによってコーキング材を容易に保持することができることから、上述した「三角打ち」を容易に施すことが可能となる。これにより、充填部３０の上側の面を図１に示すように傾斜した状態で硬化させることができる。また、このように充填部３０の上側の面が傾斜している場合、コーキング材の硬化時に「ヒケ」が生じても、傾斜面に大きな凹みが形成されにくい。これにより、当該上側の面に水分等がたまりにくくなる。
【００３２】
さらに、本実施形態では、天板１全体が人工大理石で一体に形成される。すなわち、人工大理石の有する模様や質感等によって、天板１の審美性をさらに高めることができる。
【００３３】
ところで、上記のように奥壁Ｗｂに沿ってキッチン用キャビネット１００を配置した場合、経年劣化等により、奥壁Ｗｂがキッチン用キャビネット１００から離間する方向に向かって、わずかに傾斜する場合がある。この場合、上述の充填部３０にヒビ等が発生し、このヒビから天板１上の水分が浸透してしまう。しかしながら、充填部３０と、バックアップ材１５とにより、対向面１４と奥壁Ｗｂとの間の間隙が埋められている。したがって、仮に奥壁Ｗｂが経年劣化により対向面１４と離間する方向に向かってわずかに倒れたとしても、バックアップ材１５によって、水分の下方への浸透を抑止することができる。
【００３４】
［第二実施形態］
続いて、本発明の第二実施形態について、図４を参照して説明する。なお、上記第一実施形態と同様の構成には同一の符号を付し、詳細な説明を省略する。同図に示すように、本実施形態に係るキッチン用キャビネット１００では、天板１の対向面１４と奥壁Ｗｂとの間に、止水部材４０が設けられている点で上記第一実施形態とは異なる。
【００３５】
止水部材４０は、おおむね奥壁Ｗｂに沿って延びる板状の部材である。より具体的には、この止水部材４０は、奥壁Ｗｂに密接する基部４１と、基部４１から奥壁Ｗｂに沿って上方に延びる突出片４２と、を備えている。
【００３６】
基部４１の両面のうち、奥壁Ｗｂと反対側を向く面と、天板１の対向面１４との間には、上下方向に延びる間隙が形成されている。この間隙には、防水テープ５０が設けられる。この防水テープ５０は、基部４１の表面（天板１の対向面１４を向く側の面）に接着剤等を介して貼付される。
【００３７】
基部４１の両面のうち、奥側を向く面の一部には、スポンジパッキン６０を収容するための収容凹部４３が形成されている。収容凹部４３は、基部４１の表面から天板１の対向面１４に向かう方向に凹む角溝状をなしている。スポンジパッキン６０は、この収容凹部４３に、弾性変形した状態で収容される。言い換えると、収容凹部４３に収容される前のスポンジパッキン６０は、収容凹部４３の容積よりも大きな体積を有している。
【００３８】
突出片４２は、基部４１の上側の面から上方に向かって延びる板状をなしている。突出片４２の両面のうち、奥壁Ｗｂに密接する側の面は、上記の収容凹部４３を挟んで、基部４１の表面と面一をなしている。すなわち、突出片４２と基部４１とは、ともに奥壁Ｗｂに対して密接している。なお、突出片４２の厚さ方向の寸法は、基部４１の厚さ方向の寸法よりも小さく設定されている。
【００３９】
基部４１と突出片４２とは、一例としてアルミニウム等のように、加工性が比較的高い金属材料で一体に形成される。
【００４０】
基部４１の上側の面と、突出片４２と、天板１の対向面１４とによって囲まれる空間には、充填部３０Ｂが設けられている。充填部３０Ｂは、シリコン等を主剤とするコーキング材を充填・硬化させることで形成される。充填部３０Ｂの上側の面は、上記の第一実施形態における充填部３０と同様に、奥壁Ｗｂから頂部１２Ａに向かうにしたがって下方に延びるように傾斜した状態で硬化する。さらに、コーキング材の硬化時に「ヒケ」が生じても、この傾斜はおおむね維持される。
【００４１】
以上のような構成によれば、上記第一実施形態と同様に、天板本体１１から上方に突出する突出部１２によって、天板１上の水分を受け止めることができる。これにより、水分が天板１から外部に散逸してしまう虞を低減することができる。
【００４２】
さらに、突出部１２と天板本体１１との間は湾曲形状で結ばれているため、天板１上で突出部１２が目立ちにくくなる。これにより、天板１全体における凹凸を極力排することができるため、美観をさらに向上させることができる。
【００４３】
加えて、上記の構成によれば、頂部１２Ａが上方に湾曲するように突出していることから、頂部１２Ａと壁との間に隙間が形成される。したがって、突出部１２と壁との間にコーキングを施す（充填部３０を形成する）に当たって、上記の隙間によって十分な量のコーキング材を保持することができる。
【００４４】
ところで、上記のように奥壁Ｗｂに沿ってキッチン用キャビネット１００を配置した場合、経年劣化等により、奥壁Ｗｂがキッチン用キャビネット１００から離間する方向に向かって、わずかに傾斜する場合がある。この場合、上述の充填部３０Ｂにヒビ等が発生し、このヒビから天板１上の水分が浸透してしまう。しかしながら、上記のように、充填部３０Ｂの下方には止水部材４０と防水テープ５０とが設けられている。これらの部材により、充填部３０Ｂに浸透した水分が受け止められ、この水分がさらに下方へと浸透する虞を低減することができる。
【００４５】
［第二実施形態の変形例］
なお、上記の止水部材４０は、図５に示すような構成を採ることも可能である。具体的には、同図に示す止水部材４０Ｂは、上下方向に延びる板状の基部４１Ｂと、基部４１Ｂの上端部からそれぞれ上方に向かって延びるとともに、水平方向に互いに離間するように延びる一対の突出片４２Ｂ（第一突出片４２１、及び第二突出片４２２）を備えている。
【００４６】
基部４１Ｂは、天板１の対向面１４と、奥壁Ｗｂとの間の空間内で、防水テープ５０によって厚さ方向の両側から支持されている。言い換えると、基部４１Ｂの厚さ寸法は、対向面１４と奥壁Ｗｂとの間の寸法よりも小さく設定されている。第一突出片４２１は、基部４１Ｂの上端部から、対向面１４に向かって斜めに延びる板状の部材である。より詳細には、第一突出片４２１は、基部４１Ｂの上端部から、上方に向かうにしたがって対向面１４側に向かって斜めに延びている。
【００４７】
第二突出片４２２は、基部４１Ｂの上端部から、奥壁Ｗｂに向かって斜めに延びる板状の部材である。より詳細には、第二突出片４２２は、基部４１Ｂの上端部から、上方に向かうにしたがって奥壁Ｗｂ側に向かって斜めに延びている。このような構成により、第一突出片４２１と第二突出片４２２との間には、溝状の空間が形成されている。
【００４８】
この溝状の空間には、シリコン等を主剤とするコーキング材を充填・硬化させることによって形成された充填部３０Ｃが設けられている。充填部３０Ｃの上側の面は、上記の第一実施形態における充填部３０と同様に、奥壁Ｗｂから頂部１２Ａに向かうにしたがって下方に延びるように傾斜した状態で硬化する。さらに、コーキング材の硬化時に「ヒケ」が生じても、この傾斜はおおむね維持される。
【００４９】
なお、止水部材４０Ｂが対向面１４と奥壁Ｗｂとの間に取り付けられた状態において、第一突出片４２１、及び第二突出片４２２はともに弾性変形した状態となっている。具体的には、第一突出片４２１は、天板１の対向面１４に奥壁Ｗｂ側から当接することによって弾性変形し、奥壁Ｗｂ側に向かって湾曲した状態となっている。このとき、第一突出片４２１の先端部は、対向面１４に密接した状態となる。
【００５０】
また、第二突出片４２２は、奥壁Ｗｂに対向面１４側から当接することによって弾性変形し、対向面１４側に向かって湾曲した状態となっている。このとき、第二突出片４２２の先端部は、奥壁Ｗｂに密接した状態となる。
【００５１】
上記のような構成によれば、充填部３０Ｃにヒビ等が発生し、このヒビから天板１上の水分が浸透しても、止水部材４０Ｂの溝（第一突出片４２１と第二突出片４２２との間の溝）によって水分が受け止められ、この水分がさらに下方へと浸透する虞を低減することができる。
【００５２】
以上、本発明の各実施形態、及び変形例について図面を参照して説明した。なお、上記の各構成はあくまで一例であって、本発明の要旨を逸脱しない限りにおいて、種々の変更を加えることが可能である。
例えば、上記の各実施形態では、天板１における天板本体１１と突出部１２とが一体に形成されている例について説明した。しかしながら、天板１の態様は上記実施形態によっては限定されず、図６に示すように、天板１は互いに異なる別の部材によって形成されていてもよい。具体的には、図６の例では、天板１は第一部材１１Ａと、第一部材１１Ａに対して接合部Ｇを介して接合される第二部材１１Ｂと、を有している。第一部材１１Ａには上記の天板本体１１が含まれ、第二部材１１Ｂには上記の突出部１２が含まれている。
【符号の説明】
【００５３】
１００…キッチン用キャビネット  １…天板  ２…キャビネット部  Ｗｓ…側壁  Ｗｂ…奥壁  ３…シンク  ４…グリル  ５…作業面  Ｌｂ…奥側辺部  Ｌｓ…側辺部  ２１…キャビネット部本体  ２２…戸棚  ２３…引き出し  １１…天板本体  １１Ａ…第一部材  １１Ｂ…第二部材  １２…突出部  １２Ａ…頂部  １０…上面  １３…稜線  １４…対向面  １５…バックアップ材  ３０…充填部  ４０…止水部材  ４１…基部  ４２…突出片  ５０…防水テープ  ６０…スポンジパッキン  ４３…収容凹部  ３０Ｂ…充填部  ４０Ｂ…止水部材  ４１Ｂ…基部  ４２Ｂ…突出片  ４２１…第一突出片  ４２２…第二突出片  ３０Ｃ…充填部  Ｇ…接合部
【図１】
2017124049.tif 000003
【図２】
2017124049.tif 000004
【図３】
2017124049.tif 000005
【図４】
2017124049.tif 000006
【図５】
2017124049.tif 000007
【図６】
2017124049.tif 000008